【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
支持体及び該支持体上に設けられた感光層を有する電子写真感光体において、
該電子写真感光体の表面層が、下記式（１１）で示される繰り返し構造単位α及び下記式（１２）で示される繰り返し構造単位βを有するジオルガノポリシロキサンを含有することを特徴とする電子写真感光体。
【化１】
2008224852.tif 000001
（式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造又はフッ素原子を有するアルキレン基とフッ素原子を有するアルキレン基が酸素により結合した構造を有する一価の有機基を示す。）
【化２】
2008224852.tif 000002
（式（１２）中、Ｒ１２は、置換又は無置換の１価の炭化水素基を示す。Ｄ１１は、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。）
【請求項２】
前記ジオルガノポリシロキサンが、更に下記式（１３）で示される繰り返し構造単位γを有する請求項１に記載の電子写真感光体。
【化３】
2008224852.tif 000003
（式（１３）中、Ｒ１３及びＲ１４は、それぞれ独立に、置換又は無置換の１価の炭化水素基を示す。）
【請求項３】
前記式（１１）中のＢ１１が、フッ素原子を有するアルキル基とフッ素原子を有するアルキレン基が酸素に結合した構造を有する１価の有機基であり、該フッ素原子を有するアルキル基がパーフルオロアルキル基であるか又は該フッ素原子を有するアルキレン基がパーフルオロアルキレン基である請求項１又は２に記載の電子写真感光体。
【請求項４】
請求項１乃至３のいずれか１項に記載の電子写真感光体と、該電子写真感光体の表面を帯電するための帯電手段、該電子写真感光体の表面に形成された静電潜像をトナーにより現像して該電子写真感光体の表面にトナー画像を形成するための現像手段、該現像手段により該電子写真感光体の表面に形成されたトナー画像を転写材又は中間転写体に転写するための転写手段、及び、該転写手段によるトナー画像の転写の後に該電子写真感光体の表面に残ったトナーをクリーニングするためのクリーニング手段からなる群より選択される少なくとも１つの手段とを一体に支持し、電子写真装置本体に着脱自在であるプロセスカートリッジ。
【請求項５】
請求項１乃至３のいずれか１項に記載の電子写真感光体、該電子写真感光体の表面を帯電するための帯電手段、該帯電手段により帯電された該電子写真感光体の表面に露光光により静電潜像を形成するための露光手段、該露光手段により該電子写真感光体の表面に形成された静電潜像をトナーにより現像して該電子写真感光体の表面にトナー画像を形成するための現像手段、及び、該現像手段により該電子写真感光体の表面に形成されたトナー画像を転写材又は中間転写体に転写するための転写手段を有する電子写真装置。
【手続補正２】
【補正対象書類名】明細書
【補正対象項目名】０００１
【補正方法】変更
【補正の内容】
【０００１】
本発明は、電子写真感光体、プロセスカートリッジ及び電子写真装置に関し、詳しくは、表面層に特定のジオルガノポリシロキサンを含有する電子写真感光体、該電子写真感光体を有するプロセスカートリッジ及び電子写真装置に関する。
【手続補正３】
【補正対象書類名】明細書
【補正対象項目名】００１７
【補正方法】変更
【補正の内容】
【００１７】
本発明に従って、支持体及び該支持体上に設けられた感光層を有する電子写真感光体において、
該電子写真感光体の表面層が、下記式（１１）で示される繰り返し構造単位α及び下記式（１２）で示される繰り返し構造単位βを有するジオルガノポリシロキサンを含有することを特徴とする電子写真感光体が提供される。
【手続補正４】
【補正対象書類名】明細書
【補正対象項目名】００１９
【補正方法】変更
【補正の内容】
【００１９】
式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造又はフッ素原子を有するアルキレン基とフッ素原子を有するアルキレン基が酸素により結合した構造を有する一価の有機基を示す。
【手続補正５】
【補正対象書類名】明細書
【補正対象項目名】００２２
【補正方法】変更
【補正の内容】
【００２２】
また、本発明に従って、上記に記載の電子写真感光体と、該電子写真感光体の表面を帯電するための帯電手段、該電子写真感光体の表面に形成された静電潜像をトナーにより現像して該電子写真感光体の表面にトナー画像を形成するための現像手段、該現像手段により該電子写真感光体の表面に形成されたトナー画像を転写材又は中間転写体に転写するための転写手段、及び、該転写手段によるトナー画像の転写の後に該電子写真感光体の表面に残ったトナーをクリーニングするためのクリーニング手段からなる群より選択される少なくとも１つの手段とを一体に支持し、電子写真装置本体に着脱自在であるプロセスカートリッジが提供される。
【手続補正６】
【補正対象書類名】明細書
【補正対象項目名】００２３
【補正方法】変更
【補正の内容】
【００２３】
また、本発明に従って、上記に記載の電子写真感光体、該電子写真感光体の表面を帯電するための帯電手段、該帯電手段により帯電された該電子写真感光体の表面に露光光により静電潜像を形成するための露光手段、該露光手段により該電子写真感光体の表面に形成された静電潜像をトナーにより現像して該電子写真感光体の表面にトナー画像を形成するための現像手段、及び、該現像手段により該電子写真感光体の表面に形成されたトナー画像を転写材又は中間転写体に転写するための転写手段を有する電子写真装置が提供される。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２９
【補正方法】変更
【補正の内容】
【００２９】
本発明における、電子写真感光体の表面層とは、支持体上に感光層を有する電子写真感光体において、支持体より最も隔離された層をいう。図４（ａ）乃至（ｅ）に、本発明の電子写真感光体の構成例を示し、本発明の電子写真感光体の表面層を説明する。
【手続補正１１】
【補正対象書類名】明細書
【補正対象項目名】００３０
【補正方法】変更
【補正の内容】
【００３０】
すなわち、図４（ａ）に示すように支持体１０１上に下引き層１０２、中間層１０３、電荷発生層１０４、電荷輸送層１０５をこの順に有する場合（順層）には電荷輸送層１０５を表面層とする。図４（ｂ）に示すように支持体１０１上に下引き層１０２、中間層１０３、電荷輸送層１０５、電荷発生層１０４をこの順に有する場合（逆層）には電荷発生層１０４を表面層とする。これらの場合、下引き層１０２、中間層１０３は必ずしも必要ではなく、いずれか一方だけを有しても、いずれも無くても構わない。また、図４（ｃ）に示すように電荷輸送層１０５が第１電荷輸送層１０５１上に更に第２電荷輸送層１０５２を有する場合には第２電荷輸送層１０５２が表面層となり、図４（ｄ）に示すように電荷輸送層１０５上に表面保護層を有する場合には表面保護層１０６を表面層とする。あるいは図４（ｅ）に示すように第２電荷輸送層１０５２上に表面保護層１０６を有する場合には表面保護層１０６を表面層とする。
【手続補正１２】
【補正対象書類名】明細書
【補正対象項目名】００３１
【補正方法】変更
【補正の内容】
【００３１】
上述のとおり、電子写真感光体の表面層は、下記式（１１）で示される繰り返し構造単位α及び下記式（１２）で示される繰り返し構造単位βを有するジオルガノポリシロキサンを含有する。これによって、電子写真感光体の表面の離型性を向上させることができ、転写電流を強くすることなく転写効率を十分に高くすることができる。
【手続補正１３】
【補正対象書類名】明細書
【補正対象項目名】００３３
【補正方法】変更
【補正の内容】
【００３３】
式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造又はフッ素原子を有するアルキレン基とフッ素原子を有するアルキレン基が酸素により結合した構造を有する一価の有機基を示す。
【手続補正１４】
【補正対象書類名】明細書
【補正対象項目名】００３６
【補正方法】変更
【補正の内容】
【００３６】
特に式（１１）中のＢ１１が、フッ素原子を有するアルキル基とフッ素原子を有するアルキレン基が酸素により結合した構造又はフッ素原子を有するアルキレン基とフッ素原子を有するアルキレン基が酸素により結合した構造を有することにより、フッ素原子同士の反発なく、またフッ素原子が立体的な拡がりをもって存在できるようになる。そのため、特許文献３に記載されているパーフルオロアルキル基を有するジオルガノポリシロキサンを含有する表面層を持つ電子写真感光体よりも、更に転写電流が従来より小さく、トナー粒径が小さくない場合でも耐久枚数が長期に亘り高離型を有する表面性を維持できるため、長期耐久後でも高転写効率を維持し、高画質を維持できると思われる。
【手続補正１５】
【補正対象書類名】明細書
【補正対象項目名】０１１９
【補正方法】変更
【補正の内容】
【０１１９】
また、本発明に用いられるジオルガノポリシロキサン中のフッ素原子の含有量は、ジオルガノポリシロキサン全質量に対して１質量％以上９０質量％以下であることが好ましく、特には、５質量％以上６０質量％以下であることが好ましい。フッ素原子の含有量が１質量％未満では、電子写真感光体の表面層の離型性が十分に発揮されない場合がある。９０質量％を超えると、電子写真感光体の表面層中の結着樹脂との相溶性が悪くなったり、アンカー効果が十分に得られなかったりして、表面に移行し易くなり、長時間耐久使用により電子写真感光体の表面が摩耗した場合、十分な効果が得られなくなる場合がある。
【手続補正１６】
【補正対象書類名】明細書
【補正対象項目名】０１２１
【補正方法】変更
【補正の内容】
【０１２１】
それに対して、本発明に用いられるジオルガノポリシロキサンは、特に側鎖のＤ１１が電子写真感光体の表面層の結着樹脂に対してアンカー効果を有するため、表面層中での表面移行性が抑制される。特に、Ｄ１１が重合度３以上の置換又は無置換のポリスチレン鎖を有する１価の有機基の場合、より有効なアンカー効果を有する。また、Ｅ１１とＥ１２の少なくともいずれか一方が重合度３以上の置換又は無置換のポリスチレン鎖を有する１価の有機基の場合には、重合度３以上の置換又は無置換のポリスチレン鎖を有する１価の有機基がジオルガノポリシロキサン中の繰り返し構造単位βとなり、末端基として繰り返し構造単位βが存在することになる。この場合、末端基以外に繰り返し構造単位βはなくても良い。
【手続補正１７】
【補正対象書類名】明細書
【補正対象項目名】０１２３
【補正方法】変更
【補正の内容】
【０１２３】
本発明に用いられる電子写真感光体は支持体及び該支持体上に設けられた感光層を有する。
【手続補正１８】
【補正対象書類名】明細書
【補正対象項目名】０１６０
【補正方法】変更
【補正の内容】
【０１６０】
本発明の電子写真感光体の表面層には、必要に応じて、金属、導電性金属酸化物等の導電性粒子や電荷輸送物質を更に含有させてもよい。
【手続補正１９】
【補正対象書類名】明細書
【補正対象項目名】０２３６
【補正方法】変更
【補正の内容】
【０２３６】
を電荷発生層上に浸漬塗布し、１３０℃で１時間乾燥することによって、膜厚が３０μｍの電荷輸送層を形成した。このようにして、電荷輸送層が表面層である電子写真感光体を作製した。